(57)【要約】【課題】発光部と発光部を覆うカバーとを備える照明装置であって、カバーの外周部において効率よく光の演出効果を得ることができる照明装置を提供すること。【解決手段】照明装置１０は、発光部５０と、発光部５０の前方に配置され、発光部５０から放出された光を透過させるカバー２０と、カバー２０の外周部２１に沿って延設された光学フレーム３０とを備える。光学フレーム３０は、外周部前面２１ａを覆う前面部３２を有するであって、カバー２０を透過した光を透過させる前面部３２を有する。【選択図】図５
2020009541.tif 000002
【特許請求の範囲】
【請求項１】
発光部と、
前記発光部の前方に配置され、前記発光部から放出された光を透過させるカバーと、
前記カバーの外周部に沿って延設された光学フレームとを備え、
前記光学フレームは、前記外周部の前面を覆う前面部であって、前記カバーを透過した光を透過させる前面部を有する
照明装置。
【請求項２】
前記光学フレームはさらに、前記外周部の端面を覆い、前記カバーを透過した光を透過させる側面部を有する
請求項１記載の照明装置。
【請求項３】
前記光学フレームは、前記光学フレームの延設方向に並んで配置された複数の部分フレームが接続されることで形成されている
請求項１または２記載の照明装置。
【請求項４】
前記光学フレームの前記前面部は、複数の凹または凸が並ぶことで形成された凹凸部を有し、
前記複数の部分フレームのうちの互いに隣り合う２つの部分フレームの境界は、前記凹凸部における稜線及び谷線の少なくとも一方と一致する
請求項３記載の照明装置。
【請求項５】
前記カバーにおける前記外周部の光透過率は、前記カバーにおける前記外周部の内側の部分である中央部の光透過率よりも高い
請求項１〜４のいずれか一項に記載の照明装置。
【請求項６】
前記カバーにおける前記中央部は、前記カバーの基材の表面に印刷されることで形成された光拡散層を有することで、前記外周部よりも光透過率が低い
請求項５記載の照明装置。
【請求項７】
さらに、前記発光部を支持し、かつ、前記カバーが着脱自在に取り付けられる本体部を有し、
前記光学フレームは、前記カバーに固定されている
請求項１〜６のいずれか一項に記載の照明装置。
【発明の詳細な説明】
【技術分野】
【０００１】
本発明は、発光部と発光部の前方に配置されたカバーとを有する照明装置に関する。
【背景技術】
【０００２】
従来、照明装置の一例として、天井に設置されるシーリングライトが知られている。例えば、特許文献１には、発光素子、セードおよび化粧枠を備えるシーリングライトが開示されている。セードは、周面に光が透過する周面光透過領域を有する。化粧枠は、セードの周囲に配置され、光照射方向から見てセードの周面光透過領域が映り込む反射面を有する。
【先行技術文献】
【特許文献】
【０００３】
【特許文献１】特開２０１４−２１１９９７号公報
【発明の概要】
【発明が解決しようとする課題】
【０００４】
上記従来のシーリングライトのように、発光部を覆うカバーを有する照明装置において、カバーの周囲に、カバーの外周端面から放出される光を透過する化粧枠等の枠体を配置することで、輝き感などの光の演出効果を付加することは可能である。
【０００５】
しかしながら、例えば、より広い範囲で光の演出効果を得ようとする場合、枠体の幅を径方向における外側に延ばす必要があり、その結果、照明装置が大型化する。また、この場合、枠体の幅が、平面視において、発光部から離れる方向に大きくなるため、枠体の幅の拡大に見合うだけの光学的な効果が得られにくいという問題もある。
【０００６】
本発明は、本願発明者らが上記課題に新たに着目することによってなされたものであり、発光部と発光部を覆うカバーとを備える照明装置であって、カバーの外周部において効率よく光の演出効果を得ることができる照明装置を提供することを目的とする。
【課題を解決するための手段】
【０００７】
上記目的を達成するため、本発明の一態様に係る照明装置は、発光部と、前記発光部の前方に配置され、前記発光部から放出された光を透過させるカバーと、前記カバーの外周部に沿って延設された光学フレームとを備え、前記光学フレームは、前記外周部の前面を覆う前面部であって、前記カバーを透過した光を透過させる前面部を有する。
【発明の効果】
【０００８】
本発明に係る照明装置によれば、カバーの外周部において効率よく光の演出効果を得ることができる。
【図面の簡単な説明】
【０００９】
【図１】実施の形態に係る照明装置の斜視図である。
【図２】実施の形態に係る照明装置の分解斜視図である。
【図３】実施の形態に係る光学フレーム及びカバーを示す斜視図である。
【図４】実施の形態に係る光学フレームを斜め後方から見た場合の斜視図である。
【図５】実施の形態に係る光学フレームとカバーとの構造上の関係を示す断面図である。
【図６】実施の形態に係るカバーの構成例を示す平面図である。
【図７】実施の形態に係る光学フレームが有する凹凸部の具体例を示す斜視図である。
【図８】実施の形態に係る部分フレーム間の境界が、凹凸部の稜線のみに一致する場合を示す斜視図である。
【発明を実施するための形態】
【００１０】
以下では、本発明の実施の形態に係る照明装置について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、工程、工程の順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。さらに、以下の実施の形態及び特許請求の範囲において、平行及び直交などの、相対的な方向または姿勢を示す表現が用いられる場合があるが、これらの表現は、厳密には、その方向または姿勢ではない場合も含む。例えば、２つの方向が平行である、とは、当該２つの方向が完全に平行であることを意味するだけでなく、実質的に平行であること、すなわち、例えば数％程度の差異を含むことも意味する。
【００１２】
以降、本明細書において、「前方」とは、照明装置の主たる光の出射方向であり、「後方」とは、「前方」の反対の方向である。
【００１３】
また、本明細書及び図面において、Ｘ軸、Ｙ軸及びＺ軸は、三次元直交座標系の三軸を示している。実施の形態では、Ｚ軸方向を鉛直方向（上下方向）とし、Ｚ軸に垂直な方向（ＸＹ平面に平行な方向）を水平方向としている。また、Ｚ軸の正方向を鉛直下方としている。なお、これらの事項は、本発明に係る照明装置の使用時の姿勢を限定するものではない。
【００１４】
（実施の形態）
［照明装置の構成概要］
図１は、実施の形態に係る照明装置１０の斜視図である。図２は、実施の形態に係る照明装置１０の分解斜視図である。
【００１５】
照明装置１０は、例えば住宅等の建物の天井に設置され、天井の下方の空間を照明するシーリングライトである。なお、各図において、Ｚ軸の負側が天井側であり、Ｚ軸の正側が床面側を表している。また、説明の都合上、各図において、照明装置１０を通常の使用時の姿勢とは上下逆の姿勢で図示している。
【００１６】
図１及び図２に示すように、照明装置１０は、本体部４０と、発光部５０と、カバー２０と、光学フレーム３０と、電源ユニット７１とを備える。
【００１７】
発光部５０は、電源ユニット７１から供給される電力によって光を発する。本実施の形態では、発光部５０は、光源カバー６０に覆われており、発光部５０が発する光は、光源カバー６０及びカバー２０を透過して、照明装置１０の外部に放出される。また、カバー２０を透過する光の一部は、カバー２０の外周部に配置された光学フレーム３０を透過して外部に放出される。
【００１８】
［本体部］
本体部４０は、発光部５０を支持する部材である。本体部４０は、前方に光を出射するように発光部５０が載置される載置面４１を有する。本体部４０の背面（載置面４１の裏側の面）には、電源ユニット７１を保持する電源ケース７０が固定されている。
【００１９】
本実施の形態では、本体部４０は、平面視（Ｚ軸方向から見た場合）において、中央に貫通孔が設けられた円盤状（すなわち、円環状）である。中央の貫通孔には、アダプタ８０が挿入される。アダプタ８０は、建物の天井に配置された引掛シーリングボディに取り付けられる。つまり、照明装置１０は、アダプタ８０を介して天井に配置される。
【００２０】
本体部４０は、例えばアルミニウム板又は鋼板などの板金をプレス加工することによって作製される。本体部４０の前側の面（載置面４１を含む面）には、反射性を高めて光取り出し効率を向上させるために、白色塗料が塗布されていてもよく、あるいは、反射性金属材料が蒸着されていてもよい。
【００２１】
［発光部］
発光部５０は、光源基板５１と、複数の発光素子５２とを有する発光モジュールである。なお、本実施の形態において、光源基板５１は、円環状に並べられた互いに別体の４枚の基板が電気的に接続されることで構成されているが、説明の便宜上、これら４枚の基板の集合体を１枚の光源基板５１として扱う。
【００２２】
光源基板５１は、例えば、プリント配線基板であり、光源基板５１の一方の面には、金属配線が所定形状でパターン形成されている。図２に示すように、光源基板５１は、複数の発光素子５２が床面側（図２における上側）を向くようにして、本体部４０の載置面４１に載置されている。つまり、発光部５０は、前方に光を照射する姿勢で本体部４０に取り付けられている。具体的には、光源基板５１は、本体部４０の載置面４１に、複数のネジ（図示せず）を用いて固定されている。
【００２３】
光源基板５１は、例えば、絶縁性樹脂材料からなる樹脂基板、表面が樹脂被膜された金属材料からなるメタルベース基板、セラミック材料の焼結体であるセラミック基板、または、ガラス材料からなるガラス基板などである。光源基板５１は、リジッド基板に限らず、フレキシブル基板でもよい。光源基板５１の表面には、金属配線を覆うように絶縁被膜としてレジスト膜が形成されていてもよい。
【００２４】
発光素子５２は、例えば、パッケージ化された表面実装（ＳＭＤ：Ｓｕｒｆａｃｅ  Ｍｏｕｎｔ  Ｄｅｖｉｃｅ）型ＬＥＤ素子である。すなわち、発光素子５２は、凹部を有する白色樹脂製のパッケージ（容器）と、パッケージの凹部の底面に一次実装されたＬＥＤチップと、パッケージの凹部内に封入された封止部材とを有している。ＬＥＤチップとして、例えば青色光を発する青色ＬＥＤチップが採用されている。青色ＬＥＤチップとしては、例えばＩｎＧａＮ系の材料によって構成された、中心波長が４４０ｎｍ〜４７０ｎｍの窒化ガリウム系の半導体発光素子が採用される。また、封止部材には、波長変換のための蛍光体粒子が含まれる。蛍光体粒子としては、例えば、ＬＥＤチップする青色光を用いて白色光を得るために、例えばＹＡＧ（Ｙｔｔｒｉｕｍ  Ａｌｕｍｉｎｕｍ  Ｇａｒｎｅｔ）系の黄色蛍光体粒子が採用される。これにより、ＬＥＤチップが発した青色光の一部は、黄色蛍光体粒子によって黄色光に波長変換される。そして、黄色蛍光体粒子に吸収されなかった青色光と黄色蛍光体粒子による波長変換により得られた黄色光とが合成されて、合成光（本例の場合、主として白色光）となって出射される。なお、封止部材には、シリカなど（ＳｉＯ２）の光拡散材（光散乱粒子）が含まれていてもよい。
【００２５】
また、発光部５０が発する光の色に特に限定はない。例えば、複数の発光素子５２において、青色ＬＥＤチップを有する発光素子５２と、赤色ＬＥＤチップを有する発光素子５２とが混在することで、発光部５０が、いわゆる電球色と呼ばれるオレンジ色の光を放出してもよい。
【００２６】
本実施の形態では、発光部５０は、光源カバー６０に覆われている。光源カバー６０は、複数の発光素子５２と一対一に対応して設けられたレンズ部を有している。レンズ部は、例えば、対応する発光素子５２からの光の配光角を拡大するよう構成されている。このように、個々の発光素子５２に対応してレンズ部を配置することで、例えば、複数の発光素子５２それぞれからの光の拡散を緻密に制御することができる。なお、光源カバー６０は、例えば、アクリル（ＰＭＭＡ）、ポリカーボネート（ＰＣ）、ポリエチレンテレフタレート（ＰＥＴ）又はポリ塩化ビニルなどの、透光性を有する樹脂材料を用いて形成されている。
【００２７】
［カバー］
カバー２０は、発光部５０の前方に配置され、発光部５０から放出された光を透過させる部材であり、例えば「グローブ」とも呼ばれる。本実施の形態では、カバー２０は、中央が前方に突出するように形成された緩やかなドーム形状を有している。
【００２８】
カバー２０は、透光性を有する樹脂材料を用いて形成されている。カバー２０の材料としては、例えば、ＰＭＭＡ、ＰＣ、ＰＥＴ又はポリ塩化ビニルなどが採用される。
【００２９】
カバー２０は、光拡散性（光散乱性）を有してもよい。これにより、カバー２０に入射する光を拡散（散乱）させることができ、カバー２０の全体から略均一に光を外部に取り出すことができる。この場合、カバー２０は、例えば、乳白色であり、光拡散粒子を分散させた樹脂材料を射出成形によって形成することができる。また、カバー２０の内面又は外面に乳白色の光拡散層を形成してもよく、カバー２０に複数の光拡散ドット又は微小凹凸（シボ）を形成してもよい。
【００３０】
なお、本実施の形態では、カバー２０において、光学フレーム３０に覆われる部分と覆われない部分とで、光の透過率が異なるように、光学フレーム３０に覆われない部分に、光を拡散させる加工がなされている。この構成例については、図６を用いて後述する。
【００３１】
カバー２０は、本体部４０に着脱自在に取り付けられる。具体的には、カバー２０は、本体部４０に設けられた複数の係止部４３に引っかかるようにして本体部４０に取り付けられる。また、複数の係止部４３からカバー２０が外されることで、カバー２０を本体部４０から取り外すことができる。
【００３２】
［電源ユニット］
電源ユニット７１は、発光部５０を点灯させるための電力を生成する電源装置である。電源ユニット７１は、例えば、系統電源または蓄電池などの外部の電源から引掛シーリングボディ及びアダプタ８０を介して供給される交流電力を直流電力に変換して発光部５０に供給する。
【００３３】
電源ユニット７１は、具体的には、発光部５０の点灯（全点灯）及び消灯を制御する。電源ユニット７１は、発光部５０の調光又は調色を行ってもよい。
【００３４】
電源ユニット７１は、例えば、回路基板と、回路基板に実装された複数の回路素子とを有している。複数の回路素子のそれぞれは、例えば、整流回路素子、検知抵抗、ヒューズ素子、抵抗、コンデンサ、チョークコイル、ダイオードまたはトランジスタなどである。電源ユニット７１は、本体部４０の背面に固定された電源ケース７０に収容された状態で、本体部４０に保持されている。
【００３５】
［光学フレーム］
以上のように構成された照明装置１０は、カバー２０の外周部に沿って配置された光学フレーム３０を備えている。以下、図１及び図２に加え、図３〜図５を参照しながら、本実施の形態に係る光学フレーム３０について説明する。
【００３６】
図３は、実施の形態に係る光学フレーム３０及びカバー２０を示す斜視図である。図４は、実施の形態に係る光学フレーム３０を斜め後方から見た場合の斜視図である。なお、図３及び図４では、光学フレーム３０は、２つの部分フレーム３１に分解された状態で図示されている。図５は、実施の形態に係る光学フレーム３０とカバー２０との構造上の関係を示す断面図である。具体的には、図５は、図１におけるＶ−Ｖ断面の一部が図示されている。
【００３７】
光学フレーム３０は、カバー２０の外周部２１に沿って延設された部材であり、光学フレーム３０を透過する光に対し、拡散、集光または色変換等を行う部材である。具体的には、光学フレーム３０は、外周部２１の前面（外周部前面２１ａ）を覆い、カバー２０を透過した光を透過させる前面部３２を有している。
【００３８】
前面部３２は、例えば複数の凹または凸が並ぶこと形成された凹凸部（図１〜図５に図示せず）を有しており、前面部３２を透過する光は凹凸部によって散乱し、これにより、光の輝き感を照明装置１０が放出する照明光に付加することができる。また、凹凸部における凹または凸の配列によって所定の模様を形成してもよく、この場合、当該所定の模様を浮かび上がらせることも可能である。なお前面部３２が有する凹凸部の具体例については、図７を用いて後述する。
【００３９】
ここで、カバー２０の、外周部２１よりも内側の部分である中央部２２、つまり、光学フレーム３０に覆われていない部分からは、カバー２０のみを透過した光が放出される。すなわち、本実施の形態に係る照明装置１０では、カバー２０の中央部２２は、照明装置１０が設置された部屋を照らす照明光を放出する部分として機能し、光学フレーム３０の少なくとも前面部３２は、照明光に光の演出効果を付加する部分として機能する。
【００４０】
このように、本実施の形態に係る照明装置１０は、発光部５０と、発光部５０の前方に配置され、発光部５０から放出された光を透過させるカバー２０と、カバー２０の外周部２１に沿って延設された光学フレーム３０とを備える。光学フレーム３０は、外周部前面２１ａを覆う前面部３２であって、カバー２０を透過した光を透過させる前面部３２を有する。
【００４１】
この構成によれば、光学フレーム３０の一部である前面部３２は、カバー２０の外周部前面２１ａを覆う状態で配置されており、これにより、発光部５０が放出した光を効率よく利用して、輝き感等の演出効果を照明光に付加することができる。
【００４２】
また、例えばより広い範囲で光の演出効果を得るために、前面部３２の幅（枠幅）を大きくする場合、径方向における内側に前面部３２の幅が広げられる。従って、照明装置１０を大型化することなく、より広い範囲での光の演出効果を得ることができる。また、この場合、平面視において、発光部５０に近づく方向に前面部３２の幅が広げられるため、発光部５０が放出した光をより効率よく利用して、光の演出効果を付加することができる。
【００４３】
このように、本実施の形態に係る照明装置１０によれば、カバー２０の外周部２１において効率よく光の演出効果を得ることができる。
【００４４】
なお、本実施の形態において、カバー２０の外周部２１において光の演出効果を付加する部位である光学フレーム３０は、カバー２０とは別体である。これにより、例えば、同一形状および大きさのカバー２０を備える複数の照明装置１０のそれぞれに、互いに異なる枠幅、または、互いに異なる形状の凹凸部を有する光学フレーム３０を取り付けることができる。従って、互いに異なる光の演出効果を有する複数の照明装置１０を容易に作製することができる。
【００４５】
また、本実施の形態では、図３〜図５に示すように、光学フレーム３０はさらに、外周部２１の端面（外周部端面２１ｂ）を覆い、カバー２０を透過した光を透過させる側面部３３を有している。
【００４６】
この構成によれば、側面部３３は、カバー２０の外周部端面２１ｂから放出された光に対し、散乱、集光または色変換等を行って放出することができる。つまり、平面視において、発光部５０から径方向外側に向かう光を利用して、光の演出効果を付加することができる。また、例えば、側面部３３に入射した光の少なくとも一部を、前面部３２に導くように側面部３３を形成することで、カバー２０の外周部端面２１ｂから放出された光を用いて前面部３２から放出される光の光量を増加させることができる。
【００４７】
また、本実施の形態では、光学フレーム３０は、前面部３２を囲むように配置され、側面部３３よりも外側に張り出した部分であるフランジ部３４を有している。フランジ部３４には、例えば前面部３２と同様な凹凸部が形成されており、輝き感等の演出効果を照明光に付加することができる。つまり、本実施の形態では、光学フレーム３０は、カバー２０の前面側（径方向内側）に張り出した前面部３２、及び、カバー２０の外側（径方向外側）に張り出したフランジ部３４の両方で、照明光に光の演出効果を付加することができる。
【００４８】
また、図５に示すように、側面部３３はフランジ部３４に接続されているため、側面部３３からフランジ部３４に導かれた光によって、フランジ部３４から放出される光の光量を増加させることも可能である。
【００４９】
なお、本実施の形態において、発光部５０は光源カバー６０に覆われており、光源カバー６０は、対応する発光素子５２からの光の配光角を拡大する対応するレンズ部を有している。従って、光源カバー６０は、発光部５０から放出された光の一部を、効率よく光学フレーム３０の前面部３２及び側面部３３に入射させる部材として機能する。これにより、光学フレーム３０による光の演出効果が高められる。
【００５０】
また、本実施の形態では、図１〜図４に示すように、光学フレーム３０は、光学フレーム３０の延設方向（カバー２０の周方向）に並んで配置された複数の部分フレーム３１が接続されることで形成されている。具体的には、平面視において、２つの円弧状の部分フレーム３１が接続されることで、１つの円環状の光学フレーム３０が形成されている。なお、図１及び図２では、２つの部分フレーム３１の境界３８が点線で表されている。
【００５１】
ここで、本実施の形態において、カバー２０の外周部２１は、図５に示すように、前後方向（Ｚ軸方向）に平行な外周部端面２１ｂから内側に向けて延設された背面（外周部背面２１ｃ）を有している。また、光学フレーム３０の側面部３３は、外周部端面２１ｂから外周部背面２１ｃまでを覆うように形成されている。これにより、光学フレーム３０は、カバー２０の外周部２１を透過する光を、ほぼ漏れなく利用して、光の演出効果に用いることができる。しかしながら、この場合、光学フレーム３０は、カバー２０の外周部２１を前後から挟む形状となる。そのため、円環状の光学フレーム３０を単一の部品として作製することは困難であり、例えば製造コストの観点から現実的ではなく、かつ、カバー２０への取り付けは実質的に不可能である。
【００５２】
そこで、本実施の形態では、光学フレーム３０を、図３及び図４に示すように、２つの円弧状の部分フレーム３１で形成する。これにより、図３に示すように、カバー２０に対し、横方向（ＸＹ平面に平行な方向）から２つの部分フレーム３１のそれぞれを取り付けることができる。また、円環状の光学フレーム３０を、横方向の平面で分割する場合と比較すると、例えば、側面部３３から前面部３２（またはフランジ部３４）にかけての材料の連続性が失われない。そのため、本実施の形態に係る光学フレーム３０によれば、例えば、側面部３３から前面部３２（またはフランジ部３４）に導かれる光の損失が抑制される。
【００５３】
また、このように円弧状に形成された部分フレーム３１は、図４に示すように、長手方向の一方の端部に第一接続部３１ａを有し、他方の端部に第二接続部３１ｂを有している。この２つの部分フレーム３１を、図３に示すように配置し、その後、２つの部分フレーム３１のうちの一方の部分フレーム３１の第一接続部３１ａと、他方の部分フレーム３１の第二接続部３１ｂとを接続する。例えば第一接続部３１ａと第二接続部３１ｂとをネジで締結する。これにより、２つの部分フレーム３１は連結され、これにより、カバー２０の外周部２１を覆う光学フレーム３０が形成される。また、例えば、図示しないネジにより、光学フレーム３０はカバー２０に固定される。つまり、照明装置１０の組み立て工程、及び、照明装置１０の完成後において、光学フレーム３０及びカバー２０は一体物として扱われる。
【００５４】
すなわち、本実施の形態に係る照明装置１０は、発光部５０を支持し、かつ、カバー２０が着脱自在に取り付けられる本体部４０を有し、光学フレーム３０は、カバー２０に固定されている。そのため、例えば、カバー２０の内面を清掃する場合などにおいて、光学フレーム３０はカバー２０ともに本体部４０から容易に取り外すことができる。つまり、カバー２０を本体部４０から取り外す場合に、光学フレーム３０を本体部４０またはカバー２０から取り外す作業は不要である。すなわち、本実施の形態では、照明装置１０のメンテナンスの容易さを阻害しない態様で、光学フレーム３０が照明装置１０に配置されている。
【００５５】
［カバーの光透過率の詳細］
光学フレーム３０は、上述のように、カバー２０の外周部２１を透過した光を透過させる。そのため、照明装置１０における光学フレーム３０の部分は、カバー２０の光学フレーム３０に覆われていない中央部２２と比較すると、光量が低く（暗く）視認される可能性がある。しかしながら、本実施の形態では、カバー２０における外周部２１の光透過率は、カバー２０における外周部２１の内側の部分である中央部２２の光透過率よりも高い。典型例としては、カバー２０において、外周部２１は透明であり、中央部２２は不透明である。これにより、外周部２１を透過する光の損失を抑制しつつ、光学フレーム３０に光を供給することができる。そのため、例えば、光学フレーム３０による光の演出効果がより明確となる。また、例えば、カバー２０の中央部２２と光学フレーム３０とで明るさに大きな差異が生じ難い。
【００５６】
なお、上記のような、光の透過率が外周部２１と中央部２２とで異なるカバー２０は、例えば、外周部２１と中央部２２とで互いに異なる樹脂材料を用いた樹脂成形によって作製してもよい。また、例えば、ＰＭＭＡ等の透明な樹脂材料を用いて、中央部２２のみに細かな凹凸が形成されるように成形することで、中央部２２に光の拡散面を有し、かつ、外周部２１が透明なカバー２０を作製してもよい。
【００５７】
また、全体が透明なカバー２０に、例えば印刷によって、外周部２１と中央部２２とで互いに異なる模様を付すことで、または、中央部２２のみに模様を印刷することで、外周部２１の光透過率を、中央部２２の光透過率よりも高くしてもよい。
【００５８】
図６は、実施の形態に係るカバー２０の構成例を示す平面図である。図６に示すカバー２０において、中央部２２は、カバー２０の基材の表面に印刷されることで形成された光拡散層２５を有することで、外周部２１よりも光透過率が低い。
【００５９】
この構成によれば、中央部２２の光拡散層２５が印刷によって形成されるため、例えば、中央部２２における光の拡散の度合い、または、中央部２２の範囲の変更を容易に行うことができる。また、例えば、上述のように、外周部２１と中央部２２とで互いに異なる樹脂材料を用いる場合、及び、中央部２２のみに細かな凹凸を形成する場合と比較すると、光の拡散機能を容易にカバー２０に持たせることができる。
【００６０】
具体的には、光拡散層２５は、例えば、白色または乳白色等の有色のインクを用いたシルク印刷によって、分散配置された微小なドット（ドットパターン）を中央部２２に印刷することで得ることができる。より詳細には、ＰＭＭＡ等の樹脂材料の平板に、シルク印刷等の印刷技術を用いてドットパターンを印刷する。さらに、ドットパターンが印刷された平板を、圧空成形により所定の形状に成形する。これにより光拡散層２５としてのドットパターンが形成されたカバー２０が得られる。なお、上記のシルク印刷を行う際に、例えば、ドットの密度を印刷位置によって異ならせてもよい。これにより、光拡散層２５における光の透過度を任意の位置で変化させることができる。
【００６１】
また、光拡散層２５は、外周部２１にも形成されてもよい。この場合は、例えば、外周部２１におけるドットの密度を、中央部２２におけるドットの密度よりも小さくすることで、外周部２１の光透過率を中央部２２の光透過率よりも大きくすることができる。なお、光拡散層２５は、ドットパターンによって形成される必要はなく、例えば、格子状に並べられた複数の線によって光拡散層２５が形成されてもよい。また、発光部５０が発光した場合に、所定の図柄が中央部２２に浮かびあがるように、厚みまたはドットの密度が位置によって異なる光拡散層２５が形成されてもよい。
【００６２】
［光学フレームの凹凸部の具体例］
図７は、実施の形態に係る光学フレーム３０が有する凹凸部３６の具体例を示す斜視図である。なお、図７では、２つの部分フレーム３１の境界３８は太線の点線で表されている。
【００６３】
図７に示すように、光学フレーム３０は、例えば、所定の規則性に従って並べられた複数のプリズム状の凸部からなる凹凸部３６を有する。これにより、発光部５０が発光した場合において、光学フレーム３０は、カットグラスのような輝き感を醸し出すことができる。
【００６４】
ここで、光学フレーム３０は、上述のように、複数の部分フレーム３１が連結されることで形成されており、外観上、部分フレーム３１の境界３８が問題となる可能性がある。そこで、凹凸部３６によって、２つの部分フレーム３１の境界３８を目立たなくすることもできる。
【００６５】
例えば図７では、複数の部分フレーム３１のうちの互いに隣り合う２つの部分フレーム３１の境界３８は、凹凸部３６における稜線及び谷線の少なくとも一方と一致している。これにより、２つの部分フレーム３１の境界３８は、視認し難くなる。つまり、境界３８が目立たない態様で、複数の部分フレーム３１が組み合わされている。
【００６６】
また、図７に示す例では、光学フレーム３０の前面部３２及びフランジ部３４に凹凸部３６が設けられている。従って、平面視における２つの部分フレーム３１の境界３８の全体を、光学フレーム３０の内縁から外縁に至る一連の稜線または谷線と一致させることができる。そのため、光学フレーム３０は、外観上、一つの円環状の光学部材として視認される。このことは、輝き感等の光学的な演出効果の実効性の観点から有利である。
【００６７】
なお、光学フレーム３０が有する凹凸部３６の形状は、図７に示す形状には限定されず、例えば、より小さな凸または凹がランダムに分散して配置されることで凹凸部３６が形成されてもよい。
【００６８】
また、図７に示す例では、前面部３２及びフランジ部３４は同一形状の凹凸部３６を有しているが、前面部３２及びフランジ部３４は、互いに異なる形状の凹凸部を有してもよい。つまり、光学フレーム３０は、前面部３２とフランジ部３４とで、互いに異なる光の演出効果を照明光に付加してもよい。
【００６９】
また、２つの部分フレーム３１の境界３８が目立たなくなる効果は、境界３８が、凹凸部３６の稜線及び谷線のいずれか一方にのみ一致する場合でも奏される。例えば、図８に示すように、２つの部分フレーム３１の境界３８が、プリズム状の凹凸部３６における稜線のみと一致していてもよい。
【００７０】
（他の実施の形態）
以上、本発明に係る照明装置について、実施の形態に基づいて説明したが、本発明は、上記の実施の形態に限定されるものではない。
【００７１】
例えば、光学フレーム３０は、前面部３２、側面部３３及びフランジ部３４の全てを有する必要はない。光学フレーム３０は、少なくとも前面部３２を有していればよい。つまり、光学フレーム３０は、カバー２０の外周部前面２１ａを覆う前面部３２を有していれば、カバー２０を透過した光を効率よく利用して、照明装置１０が放出する照明光に輝き感等の演出効果を付加することができる。
【００７２】
また、光学フレーム３０は、３以上の部分フレームによって形成されてもよい。例えば、平面視において円環状の光学フレーム３０は、中心角が１２０°の３つの円弧状の部分フレームによって形成されてもよい。このように、同一形状および同一サイズの複数の部分フレームによって光学フレーム３０を形成する場合、例えば、１つの金型で、当該複数の部分フレームの全てを作製することができる。このことは、例えば製造コストの抑制の観点から有利である。
【００７３】
また、光学フレーム３０は、横方向（ＸＹ平面に平行な方向）の平面で分割することで得られる複数の部分フレームで形成されてもよい。例えば、光学フレーム３０が、側面部３３を含む後側の部分フレームと、前面部３２及びフランジ部３４を含む前側の部分フレームとに分割されてもよい。この場合、後側の部分フレームと前側の部分フレームとで、カバー２０の外周部２１を前後から挟むように配置し、ネジ等で後側の部分フレームと前側の部分フレームとを接続する。これにより、カバー２０の外周部２１を覆う光学フレーム３０が形成される。このように、光学フレーム３０を前後２つの部分フレームで形成する場合、２つの部分フレームの境界が光学フレーム３０の前側には表れないため、外観上、当該境界が問題となる可能性は低い。
【００７４】
また、カバー２０の前面部３２の幅の長さに特に限定はない。例えば、カバー２０の半径に対する前面部３２の幅の比率として０．３〜０．４程度が例示される。なお、当該比率は、カバー２０の大きさ、前面部３２の厚み、発光部５０の光出力、照明装置１０の用途、照明装置１０の製造コスト、または、意匠的な要求等に応じて適宜決定されてもよい。
【００７５】
また、光学フレーム３０は、凹凸部３６を有しなくてもよい。つまり、光学フレーム３０の外面はフラットな形状であってもよい。この場合であっても、例えば、光学フレーム３０を、シリカ等の光散乱粒子を含有する樹脂材料で形成することで、光学フレーム３０を透過する光を拡散して放出することができる。または、光学フレーム３０を、光を透過する有色の樹脂材料で形成することで、光学フレーム３０を透過する光の色を変換して放出することができる。
【００７６】
また、光学フレーム３０は、裏面（カバー２０側の面）に、複数の凹または凸が並ぶことで形成された凹凸部を有してもよい。この場合であっても、光学フレーム３０を透過する光を拡散して放出することができる。
【００７７】
また、発光部５０が有する発光素子５２は、ＳＭＤ型ＬＥＤ素子であるとしたが、発光素子５２はＬＥＤチップであってもよい。つまり、発光部５０は、複数のＬＥＤチップを光源基板５１に直接実装したＣＯＢ（Ｃｈｉｐ  Ｏｎ  Ｂｏａｒｄ）構造であってもよい。この場合、波長変換材を含有する封止部材によって、光源基板５１上に実装された複数のＬＥＤチップを一括に封止、または、個別に封止することで、所定の色温度の照明光を得ることができる。
【００７８】
また、発光素子５２の別例としては、半導体レーザ等の半導体発光素子、または、有機ＥＬ（Ｅｌｅｃｔｒｏ  Ｌｕｍｉｎｅｓｃｅｎｃｅ）もしくは無機ＥＬ等のＥＬ素子が挙げられる。
【００７９】
その他、実施の形態に対して当業者が思いつく各種変形を施して得られる形態、及び、本発明の趣旨を逸脱しない範囲で、実施の形態における構成要素及び機能を任意に組み合わせることで実現される形態も本発明に含まれる。
【符号の説明】
【００８０】
１０  照明装置
２０  カバー
２１  外周部
２１ａ  外周部前面
２１ｂ  外周部端面
２２  中央部
２５  光拡散層
３０  光学フレーム
３１  部分フレーム
３２  前面部
３３  側面部
３６  凹凸部
３８  境界
４０  本体部
５０  発光部
【図１】
2020009541.tif 000003
【図２】
2020009541.tif 000004
【図３】
2020009541.tif 000005
【図４】
2020009541.tif 000006
【図５】
2020009541.tif 000007
【図６】
2020009541.tif 000008
【図７】
2020009541.tif 000009
【図８】
2020009541.tif 000010